(57)【要約】【課題】携帯端末等のイヤホンジャックに直接装着することができ、しかも、ユーザーの好みであらゆる種類の装飾品を任意に変更できる携帯端末用装飾品を提供する。【解決手段】  携帯端末ＰのイヤホンジャックＰ１に抜き差し自在になる連結杆体１０を設ける。連結杆体１０の頂部に着脱自在に装着される装飾体２０を設ける。連結杆体１０の頂部外周に着脱自在に連結する嵌合体３０を設ける。嵌合体３０に前記装飾体２０を連結する。装飾体２０を嵌合体３０の頂部に連結して嵌合体３０と装飾体２０とを一体化する。【選択図】  図２
0003170604.tif 000002
【実用新案登録請求の範囲】
【請求項１】
携帯端末のイヤホンジャックに抜き差し自在に設けられた連結杆体と、イヤホンジャックに差し込んだときの連結杆体の頂部に着脱自在に設けられる装飾体とで構成されることを特徴とする携帯端末用装飾品。
【請求項２】
前記装飾体は、前記連結杆体の頂部に形成された連結用環に着脱自在に連結される連結リングを備えた請求項１記載の携帯端末用装飾品。
【請求項３】
前記連結杆体の頂部外周にネジ止め手段又は強制嵌合手段にて着脱自在に連結する嵌合体を設け、該嵌合体に前記装飾体を連結するように構成した請求項１記載の携帯端末用装飾品。
【請求項４】
前記装飾体は、前記嵌合体の頂部に連結して前記嵌合体と一体化するように構成した請求項３記載の携帯端末用装飾品。
【請求項５】
前記装飾体は、前記嵌合体の頂部に形成された連結用環に着脱自在に連結する連結リングを備えた請求項３記載の携帯端末用装飾品。
【請求項６】
前記装飾体は、前記嵌合体の内部に収納自在に装着され、該装飾体の一部が突出するように開口した開口部を嵌合体の頂部に形成した請求項３又は４記載の携帯端末用装飾品。
【請求項７】
前記連結杆体の頂部に収納凹部を形成し、該収納凹部に芳香材を収納すると共に、該連結杆体の頂部に前記嵌合体を嵌合するように構成した請求項３乃至５いずれか記載の携帯端末用装飾品。
【請求項８】
前記嵌合体の頂部に、前記連結杆体の前記収納凹部に収納された芳香材の香りを発散せしめる発散孔を開穿した請求項７記載の携帯端末用装飾品。
【考案の詳細な説明】
【技術分野】
【０００１】
本考案は、携帯電話機や、スマートフォンと称するPDA機能が付いた多機能携帯電話機、あるいは携帯用パソコン等の携帯端末に装着して使用する携帯端末用装飾品に係り、特にイヤホンジャックを利用して好みの装飾用品を交換自在に装着することができる携帯端末用装飾品に関する。
【背景技術】
【０００２】
従来、携帯電話機のイヤホンジャックを利用して装飾用品を装着できるようにしたグッズが、特許文献１に記載されている。この装飾用グッズは、イヤホンジャックの開口部を覆うイヤホンジャックカバーに装飾物を取付けるように構成したもので、このイヤホンジャックカバーは、ヒンジ部その他による開閉式としたものや、差込むようにした着脱式のものが対象になっている。そして、このイヤホンジャックカバーの外面に装飾物をネジ等で取付ける構成になっている。
【０００３】
一方、特許文献２に加飾部材の取付け構造が記載されている。この取り付け構造は、装飾部材と被取付部材との固定を、複雑な構造を採用することなく見栄え良く取付けることができるように工夫している。特に、装飾部材が宝石状のものであったときにその光輝を損なうことのない取付け構造を提供しようとするものである。そのため特許文献２が採用した構成は、携帯電話機の本体に加飾部材が格納される大内径部と小内径部を構成し、加飾部材の周縁部を係止する爪部と加飾部材を小内径部方向に付勢する付勢部材とからなる保持部材を有する構成になっている。
【０００４】
このように、これら特許文献１及び特許文献２のいずれにおいても、携帯電話機に装飾用品を装着する構成が提案されているものである。
【先行技術文献】
【特許文献】
【０００５】
【特許文献１】実用新案登録第３０８８４９６号公報
【特許文献２】特許第４３４８７０１号公報
【考案の概要】
【考案が解決しようとする課題】
【０００６】
ところが、特許文献１に記載の装飾用グッズでは、イヤホンジャックカバーに装飾物を装着するものなので、このイヤホンジャックカバーを使用していない携帯電話機には装飾物を装着できないものであった。しかも、装飾物の装着が可能な場合でも、イヤホンジャックカバーにネジ止めする構成なので、イヤホンジャックカバーを損傷させてしまう不都合があった。
【０００７】
一方、特許文献２に記載の取付け構造では、携帯電話機の本体に、大内径部と小内径部を直に形成するものである。そのため、装飾部材が宝石状のものであったときにその輝きを損なうことのない取付け構造を提供することは可能であるとしても、宝石状の装飾物をユーザーが手軽に装着することは不可能であった。
【０００８】
そこで本考案は、上述の不都合を解消すべく案出されたもので、携帯電話機等のイヤホンジャックに直接装着することができ、しかも、ユーザーの好みであらゆる種類の装飾品を任意に変更できる携帯端末用装飾品の提供を目的とするものである。
【課題を解決するための手段】
【０００９】
上述の目的を達成すべく本考案における第１の手段は、携帯端末ＰのイヤホンジャックＰ１に抜き差し自在に設けられた連結杆体１０と、イヤホンジャックＰ１に差し込んだときの連結杆体１０の頂部に着脱自在に設けられる装飾体２０とで構成されることにある。
【００１０】
第２の手段の前記装飾体２０は、前記連結杆体１０の頂部に形成された連結用環１１に着脱自在に連結される連結リング２１を備えたものとする。
【００１１】
第３の手段は、前記連結杆体１０の頂部外周にネジ止め手段又は強制嵌合手段にて着脱自在に連結する嵌合体３０を設け、該嵌合体３０に前記装飾体２０を連結するように構成した。
【００１２】
第４の手段の前記装飾体２０は、前記嵌合体３０の頂部に連結して前記嵌合体３０と一体化するように構成している。
【００１３】
第５の手段の前記装飾体２０は、前記嵌合体３０の頂部に形成された連結用環３１に着脱自在に連結する連結リング２１を備えている。
【００１４】
第６の手段の前記装飾体２０は、前記嵌合体３０の内部に収納自在に装着され、該装飾体２０の一部が突出するように開口した開口部３４を嵌合体３０の頂部に形成したものである。
【００１５】
第７の手段は、前記連結杆体１０の頂部に収納凹部１２を形成し、該収納凹部１２に芳香材４０を収納すると共に、該連結杆体１０の頂部に前記嵌合体３０を嵌合するように構成している。
【００１６】
第８の手段は、前記嵌合体３０の頂部に、前記連結杆体１０の前記収納凹部１２に収納された芳香材４０の香りを発散せしめる発散孔３２を開穿したことにある。
【考案の効果】
【００１７】
本考案の請求項１によると、携帯端末ＰのイヤホンジャックＰ１に抜き差し自在に設けられた連結杆体１０と、イヤホンジャックＰ１に差し込んだときの連結杆体１０の頂部に着脱自在に設けられる装飾体２０とで構成されているので、携帯端末ＰのイヤホンジャックＰ１を利用して各種の装飾用品を装着できる。しかも、連結杆体１０をイヤホンジャックＰ１に差し込むことで、イヤホンジャックＰ１の防水効果も奏するものである。
【００１８】
しかも、装飾体２０は、連結杆体１０の頂部に着脱自在に設けられているので、従来のように、イヤホンジャックカバーや携帯端末本体を傷付けることなく装着することができる。さらに、連結杆体１０をイヤホンジャックＰ１に差し込むだけでよいので、ユーザーの好みであらゆる種類の装飾品を任意に変更することも可能である。
【００１９】
請求項２によると、連結杆体１０の頂部に形成された連結用環１１に着脱自在に連結される連結リング２１を装飾体２０に備えているので、装飾体２０の交換は容易であり、例えばキーホルダー等に使用されているリングを連結リング２１として使用することも可能である。
【００２０】
請求項３のごとく、連結杆体１０の頂部外周にネジ止め手段又は強制嵌合手段にて着脱自在に連結する嵌合体３０を設け、該嵌合体３０に装飾体２０を連結するように構成したことで、イヤホンジャックＰ１に差し込んだときの連結杆体１０の頂部を嵌合体３０で覆うことが可能になる。この結果、嵌合体３０によって連結杆体１０を目立たなくすることができるから、連結杆体１０の素材を金属やプラスチックなど任意に変更することが可能になる。
【００２１】
請求項４のように装飾体２０は、前記嵌合体３０の頂部に連結して嵌合体３０と一体化するように構成することで、連結杆体１０の頂部を覆いながら、この嵌合体３０自体が装飾体２０によって装飾効果を有するものになる。したがって、連結杆体１０の頂部を覆うワンポイント状の装飾が可能になるものである。
【００２２】
請求項５のごとく、嵌合体３０の頂部に形成された連結用環３１に着脱自在に連結する連結リング２１を装飾体２０に備えることで、この嵌合体３０に対しても装飾体２０を装飾体２０の交換は容易であり、例えばキーホルダー等に使用されているリングを連結用環３１として使用することも可能である。
【００２３】
請求項６によると、装飾体２０は、前記嵌合体３０の内部に収納自在に装着され、該装飾体２０の一部が突出するように開口した開口部３４を嵌合体３０の頂部に形成したものであるから、嵌合体３０の内部に収納する装飾体２０を交換することで、嵌合体３０の装飾効果をユーザーの好みに応じて変更することが可能になる。例えば、嵌合体３０に収納する装飾体２０を宝石状にして開口部３４から突出するようにした場合や、カード状やシール状の装飾体２０にして開口部３４から突出しないようにすることも可能になり、嵌合体３０の装飾的印象を大きく変えることも可能になる。
【００２４】
請求項７により、連結杆体１０の頂部に収納凹部１２を形成し、該収納凹部１２に芳香材４０を収納すると共に、該連結杆体１０の頂部に前記嵌合体３０を嵌合するように構成したことで、装飾効果と共に、芳香効果を楽しむことが可能になる。しかも、収納凹部１２に収納する芳香材４０を交換することで、好みの香りにすることができる。
【００２５】
請求項８によると、嵌合体３０の頂部に、前記連結杆体１０の前記収納凹部１２に収納された芳香材４０の香りを発散せしめる発散孔３２を開穿したことにより、芳香効果をより高めることができる。
【図面の簡単な説明】
【００２６】
【図１】本考案の実施例１を示す要部分解斜視図である。
【図２】本考案の実施例２を示す分解斜視図である。
【図３】本考案の実施例２の要部を示す断面図である。
【図４】本考案の実施例２の装着状態を示す要部斜視図である。
【図５】本考案の実施例３の装着状態を示す要部斜視図である。
【図６】本考案の実施例４を示す分解斜視図である。
【図７】本考案の実施例４の要部を示す断面図である。
【図８】本考案の実施例５を示す分解斜視図である。
【図９】本考案の実施例５の要部を示す断面図である。
【考案を実施するための形態】
【００２７】
本考案によると、携帯電話機等のイヤホンジャックに直接装着することができ、しかも、ユーザーの好みであらゆる種類の装飾品を任意に変更できるなどといった当所の目的を達成した。
【００２８】
以下、本考案の実施例を説明する。本考案は、携帯電話機や、スマートフォンと称するPDA機能が付いた多機能携帯端末、あるいは携帯用パソコン等の携帯端末ＰのイヤホンジャックＰ１に装着するものである。本考案の主な構成は、連結杆体１０、装飾体２０、嵌合体３０などにて構成されている。
【００２９】
連結杆体１０は、携帯端末ＰのイヤホンジャックＰ１に抜き差し自在に設けられた部材で、この連結杆体１０に直接装飾体２０を装着したり（図１参照）、嵌合体３０を介して装着したりする（図２、図６等参照）。この連結杆体１０は、イヤホンジャックＰ１と同形状に形成することで、強固な連結が可能になる（図２参照）。また、イヤホンジャックＰ１に挿入する簡単な棒状に形成しても良い（図１、図６等参照）。さらに、連結杆体１０の材質は任意に設定することが可能で、金属、合成樹脂、合成ゴム、あるいはこれらの組合せとすることも可能である。
【００３０】
装飾体２０は、イヤホンジャックＰ１に差し込んだときの連結杆体１０の頂部に着脱自在に設けられる部材である（図１、図２、図６等参照）。この装飾体２０は、連結杆体１０に直接連結するほか、後述する嵌合体３０を介してこの嵌合体３０に連結することも可能である。また、装飾体２０の材質として、宝石状の立体的なものから（図２参照）、カード状、シール状の平面的なものまであらゆるものが対象になり、例えば、携帯ストラップなどを装飾体２０として使用することも可能である。
【００３１】
嵌合体３０は、連結杆体１０の頂部外周に着脱自在に嵌合して連結する部材である（図２、図６、図８等参照）。この嵌合体３０は、連結杆体１０と装飾体２０との間を介する連結用の部材として使用しているが、嵌合体３０自体を装飾体２０として利用することも可能である。嵌合体３０の材質は、金属、プラスチック、合成ゴムなど各種材料から選択可能である。図示の嵌合体３０は、連結杆体１０の頂部外周に嵌合する円筒状の嵌合部３０Ａと、嵌合体３０の頂部に設けられた頭頂部３０Ｂとで構成されている。
【００３２】
一方、連結杆体１０に嵌合体３０を連結する手段として、例えば、連結杆体１０の頂部外周に雄ネジ部１３を形成すると共に、このネジ部１３にネジ止めする雌ネジ部３３を嵌合部３０Ａの内周面に形成してネジ止めする手段がある（図２参照）。また、連結杆体１０の頂部外周に突起等を形成し、この突起に嵌合部３０Ａを強制的に嵌合せしめる手段も選択できる（図示せず）。
【実施例１】
【００３３】
図１は、本考案の実施例１を示している。この実施例では、連結杆体１０の頂部に予め連結用環１１を形成すると共に、装飾体２０に連結リング２１を設けている。そして、連結杆体１０の連結用環１１に連結リング２１を着脱自在に連結するものである。図示例では、連結杆体１０の上部周囲にフランジ状の突起１４を形成している。この突起１４は、連結杆体１０をイヤホンジャックＰ１に差し込んだときに、イヤホンジャックＰ１の開口部を突起１４で塞ぐことで、イヤホンジャックＰ１の防水、防塵効果を高めるのである。さらに、図示の装飾体２０に代えて、一般に市販されている携帯ストラップやキーホルダー等を装飾体２０として利用することも可能である。
【実施例２】
【００３４】
図２乃至図４は、本考案の実施例２を示している。この実施例では、連結杆体１０の頂部外周にネジ止め手段で着脱自在に連結する嵌合体３０を設けたものである（図２参照）。そして、この嵌合体３０に装飾体２０を連結する。このとき、装飾体２０は、嵌合体３０の頂部に連結して嵌合体３０と一体化するように構成している。図示例では、嵌合体３０の内部に宝石状の装飾体２０を収納自在に装着するもので、この装飾体２０の一部が突出するように開口部３４を形成している（図３参照）。図示の開口部３４は、嵌合体３０の頭頂部３０Ｂに形成している。装飾体２０をこのように装着した場合、携帯端末Ｐと一体感のある装飾が可能になる（図４参照）。また、この宝石状の装飾体２０に代えて、カード状やシール状の装飾体２０にして開口部３４から突出しないように装着することも可能である。
【実施例３】
【００３５】
図６及び図７は、本考案の実施例３を示している。この実施例では、嵌合体３０の頂部に連結用環３１を形成すると共に、連結リング２１を備えた装飾体２０を使用する（図６参照）。図示の連結用環３１は、嵌合部３０Ａと別体に形成した頭頂部３０Ｂに設けている（図７参照）。また、図中、符号４０は芳香剤を示している。この芳香材４０は、プラスチックやスポンジ、不織布などに芳香剤を含侵させたものである。このような芳香材４０入りの装飾体２０を使用することで、装飾効果のみならず香りの効果も楽しむことができる。
【実施例４】
【００３６】
図８及び図９は、本考案の実施例４を示している。この実施例では、嵌合体３０を装飾体２０として利用すると共に、この嵌合体３０の内部に芳香材４０を収納したものである（図８参照）。そのため、連結杆体１０の頂部に収納凹部１２を形成している（図９参照）。そして、この収納凹部１２に芳香材４０を収納すると共に、この連結杆体１０の頂部に嵌合体３０を嵌合するように構成したものである。図示例では、嵌合部３０Ａと別体に設けた板状の頭頂部３０Ｂに発散孔３２を開穿している（図９参照）。この芳香材４０は、前述の実施例３の芳香材４０と同じものを使用する。さらに、嵌合体３０の頂部に、前記連結杆体１０の前記収納凹部１２に収納された芳香材４０の香りを発散せしめる発散孔３２を開穿している。図示の発散孔３２は、嵌合部３０Ａと別体に設けた頭頂部３０Ｂに開穿している（図９参照）。
【実施例５】
【００３７】
図５は、本考案の実施例５を示している。この実施例は、前述の実施例４の構成と実施例２の構成とを組合せた構成になっている。すなわち、嵌合体３０の内部に芳香材４０を収納し、嵌合体３０の頂部に装飾体２０を装着したものである。図示例では、嵌合部３０Ａに発散孔３２を開穿している。
【産業上の利用可能性】
【００３８】
本考案は、携帯端末や、スマートフォンと称するPDA機能が付いた多機能携帯端末に装着して使用するものとして説明したが、この他、イヤホンジャックを備えた各種機器に利用することも可能であり、例えば、携帯型デジタル音楽プレイヤーや携帯ラジオなどに装着することも可能である。また、本考案の各構成は図示例に限定されるものではなく、本考案の要旨を変更しない範囲で任意に変更することができる。
【符号の説明】
【００３９】
Ｐ  携帯端末
Ｐ１  イヤホンジャック
１０  連結杆体
１１  連結用環
１２  収納凹部
１３  雄ネジ部
１４  突起
２０  装飾体
２１  連結リング
３０  嵌合体
３０Ａ  嵌合部
３０Ｂ  頭頂部
３１  連結用環
３２  発散孔
３３  雌ネジ部
３４  開口部
４０  芳香材
【図１】
0003170604.tif 000003
【図２】
0003170604.tif 000004
【図３】
0003170604.tif 000005
【図４】
0003170604.tif 000006
【図５】
0003170604.tif 000007
【図６】
0003170604.tif 000008
【図７】
0003170604.tif 000009
【図８】
0003170604.tif 000010
【図９】
0003170604.tif 000011